(57)【要約】【課題】３人用と４人用のゲームの駒を提供する。【解決手段】３人用のゲームの駒の場合、３種類の色を用いて３種類のゲームの駒を作り、それぞれの駒は、表と裏が異なる色の円形の駒であり、駒の表と裏にそれぞれ、裏側の色を円形の駒の一部に色付けすることを特徴とする。図１と図２は、３種類のゲームの駒である。  ４人用のゲームの駒の場合、４種類の色を用いて４種類のゲームの駒を作り、それぞれの駒は、表と裏が異なる色の円形の駒であり、駒の表と裏にそれぞれ、裏側の色を円形の駒の一部に色付けすることを特徴とする。図３と図４は、４種類のゲームの駒である。【選択図】図１
2006000599.tif 000002
【特許請求の範囲】
【請求項１】
３人用のゲームの駒の場合、３種類の色を用いて３種類のゲームの駒を作り、それぞれの駒は、表と裏が異なる色の円形の駒であり、駒の表と裏にそれぞれ、裏側の色を円形の駒の一部に色付けした駒。図１と図２は、３種類のゲームの駒である。
【請求項２】
４人用のゲームの駒の場合、４種類の色を用いて４種類のゲームの駒を作り、それぞれの駒は、表と裏が異なる色の円形の駒であり、駒の表と裏にそれぞれ、裏側の色を円形の駒の一部に色付けした駒。図３と図４は、４種類のゲームの駒である。
【請求項３】
３人用のゲームの駒の場合に関するものであり、図５、図６、図７のゲーム盤を含む縦が３の倍数のマス（３Ｎマス）、横も３の倍数のマス（３Ｎマス）、合計３Ｎ×３Ｎマスのゲーム盤。Ｎは１以上の整数、Ｎ＝１，２，３，４，５・・・。
【請求項４】
４人用のゲームの駒の場合に関するものであり、図８、図９のゲーム盤を含む縦が４の倍数のマス（４Ｍマス）、横も４の倍数のマス（４Ｍマス）、合計４Ｍ×４Ｍマスのゲーム盤。Ｍは１以上の整数、Ｍ＝１，２，３，４，５・・・。
【発明の詳細な説明】
【技術分野】
【００１】  本発明は、３人または４人用のゲームの駒とゲーム盤に関するものである。
【背景技術】
【００２】  従来、オセロとして知られている、２人用のゲームの駒（表が白色で裏が黒色の円形の駒）は、あった。このゲームの駒は一種類である。
【発明の開示】
【発明が解決しようとする課題】
【００３】  解決しようとする問題点は、従来、オセロとして知られている２人用のゲームの駒では、３人または４人でゲームができない点である。
【課題を解決するための手段】
【００４】  ３人用のゲームの駒の場合、３種類の色を用いて３種類のゲームの駒を作り、それぞれの駒は、表と裏が異なる色の円形の駒であり、駒の表と裏にそれぞれ、裏側の色を円形の駒の一部に色付けする。図１と図２は、３種類のゲームの駒である。【００５】  ４人用のゲームの駒の場合、４種類の色を用いて４種類のゲームの駒を作り、それぞれの駒は、表と裏が異なる色の円形の駒であり、駒の表と裏にそれぞれ、裏側の色を円形の駒の一部に色付けする。図３と図４は、４種類のゲームの駒である。
【発明の効果】
【００６】  ３種類の色を用いた３種類のゲームの駒の場合、３人でゲームをすることが可能になった。【００７】  ４種類の色を用いた４種類のゲームの駒の場合、４人でゲームをすることが可能になった。
【発明を実施するための最良の形態】
【００８】  ３人用のゲームの駒の場合、３種類の色を用いて３種類のゲームの駒を作り、それぞれの駒は、表と裏が異なる色の円形の駒であり、駒の表と裏にそれぞれ、裏側の色を円形の駒の一部に色付けする。この駒を用いて３人でゲームを行う。【００９】  ４人用のゲームの駒の場合、４種類の色を用いて４種類のゲームの駒を作り、それぞれの駒は、表と裏が異なる色の円形の駒であり、駒の表と裏にそれぞれ、裏側の色を円形の駒の一部に色付けする。この駒を用いて４人でゲームを行う。
【実施例１】
【０１０】  ゲームのルールを以下に説明します。各自の駒の色を決めます。３人用のゲームの場合、図５（３６マスのゲーム盤の場合）のように駒を置き、ゲームを開始します。ゲームは縦、横、斜めのいずれかで、他の駒を必ずはさむように、自分の色の駒を置いて行きます。はさんだ他の駒を裏返します。すべての駒が置かれたらゲーム終了です。自分の色の駒が一番多い人が勝者です。４人用のゲームの場合も同様です。
【産業上の利用可能性】
【０１１】  ３人用のゲームの駒の場合、３種類の色を用いて３種類のゲームの駒を作り、それぞれの駒は、表と裏が異なる色の円形の駒であり、駒の表と裏にそれぞれ、裏側の色を円形の駒の一部に色付けする。この駒を用いたゲーム用具に関する。【０１２】  ４人用のゲームの駒の場合、４種類の色を用いて４種類のゲームの駒を作り、それぞれの駒は、表と裏が異なる色の円形の駒であり、駒の表と裏にそれぞれ、裏側の色を円形の駒の一部に色付けする。この駒を用いたゲーム用具に関する。
【図面の簡単な説明】
【０１３】
【図１】  本発明の斜視図である。（３人用のゲームの駒の実施例１）（他の色の組み合わせも可能）
【図２】  本発明の斜視図である。（３人用のゲームの駒の実施例２）（他の色の組み合わせも可能）
【図３】  本発明の斜視図である。（４人用のゲームの駒の実施例１）（他の色の組み合わせも可能）
【図４】  本発明の斜視図である。（４人用のゲームの駒の実施例２）（他の色の組み合わせも可能）
【図５】  ３人用のゲームの場合のゲーム盤の例（６×６）とゲーム開始時の駒の置き方。
【図６】  ３人用のゲームの場合のゲーム盤の例（９×９）とゲーム開始時の駒の置き方。
【図７】  ３人用のゲームの場合のゲーム盤の例（１２×１２）とゲーム開始時の駒の置き方。
【図８】  ４人用のゲームの場合のゲーム盤の例（８×８）とゲーム開始時の駒の置き方。
【図９】  ４人用のゲームの場合のゲーム盤の例（１２×１２）とゲーム開始時の駒の置き方。
【符号の説明】
【０１４】１    ３人用のゲームの駒の一例である。（ゲームの駒は円柱形である。）
２    ３人用のゲームの駒の一例である。（ゲームの駒は円柱形である。）
３    ３人用のゲームの駒の一例である。（ゲームの駒は円柱形である。）
４    ３人用のゲームの駒の一例である。（ゲームの駒は円柱形である。）
５    ３人用のゲームの駒の一例である。（ゲームの駒は円柱形である。）
６    ３人用のゲームの駒の一例である。（ゲームの駒は円柱形である。）
７    ４人用のゲームの駒の一例である。（ゲームの駒は円柱形である。）
８    ４人用のゲームの駒の一例である。（ゲームの駒は円柱形である。）
９    ４人用のゲームの駒の一例である。（ゲームの駒は円柱形である。）
１０  ４人用のゲームの駒の一例である。（ゲームの駒は円柱形である。）
１１  ４人用のゲームの駒の一例である。（ゲームの駒は円柱形である。）
１２  ４人用のゲームの駒の一例である。（ゲームの駒は円柱形である。）
１３  ４人用のゲームの駒の一例である。（ゲームの駒は円柱形である。）
１４  ４人用のゲームの駒の一例である。（ゲームの駒は円柱形である。）
Ｃ１  Ｃ１で示される領域は赤色である。
Ｃ２  Ｃ２で示される領域は青色である。
Ｃ３  Ｃ３で示される領域は黄色である。
Ｃ４  Ｃ４で示される領域は白色である。
Ｔ    ゲーム盤の中心の点
Ｍ    ゲーム盤の中心のマス
【図１】
2006000599.tif 000003
【図２】
2006000599.tif 000004
【図３】
2006000599.tif 000005
【図４】
2006000599.tif 000006
【図５】
2006000599.tif 000007
【図６】
2006000599.tif 000008
【図７】
2006000599.tif 000009
【図８】
2006000599.tif 000010
【図９】
2006000599.tif 000011